(57)【特許請求の範囲】
【請求項１】
碍子内部に下端に開口する中空部を形成するとともに、該中空部の天井壁に通気孔を形成し、該通気孔を介して碍子の中空部に高圧空気を導入し、該高圧空気を装置筐体内に噴出させることによって装置筐体内のガス，塵埃等の碍子の中空部への侵入を防いだ電気集塵装置用碍子において、前記中空部の前記通気孔の直下に、空気流を分散させる整流手段を設置するとともに、前記整流手段の設置位置は、前記天井壁から整流手段までの距離が碍子全体の長さの２０％以下にしたことを特徴とする電気集塵装置用碍子。
【請求項２】
前記整流手段は、多孔板または金網であることを特徴とする請求項１に記載の電気集塵装置用碍子。
【発明の詳細な説明】
【０００１】
【発明の属する技術分野】
本発明は電気集塵装置用碍子に関するもので、詳しくは、碍子に形成した孔を介して碍子の中空部から装置筐体内に高圧空気を導入するようにした電気集塵装置用碍子に関するものである。
【０００２】
【従来の技術】
電気集塵装置は、装置筐体の相対向する側壁に処理ガス導入口および浄化ガス排出口を有し、その間に放電極，集塵極等を備えた集塵装置主部が収容されている。そして、装置筐体の天井壁上面には、碍子収納ケースが設置され、該ケース内に碍子が設置されている。この碍子の中心には芯線が挿通され、該芯線の下部は放電極に連結され、それによって放電極が装置筐体内に保持されている。
【０００３】
このような電気集塵装置では、装置筐体内のガス，塵埃等が碍子内に流入すると、その塵埃等が碍子に付着したりして、絶縁性が低下する等の障害が発生する。
【０００４】
そこで、このような電気集塵装置では、図５に示したように、碍子１の天井壁１ａに通気孔２を形成し、高圧空気を碍子収納ケース３内に導入し、その高圧空気を通気孔２から装置筐体４内に噴射させることによって、装置筐体４内のガス，塵埃等の碍子１内への侵入を防止している。
【０００５】
【発明が解決しようとする課題】
しかしながら、従来の碍子では、図５に示したように、碍子１内に流入した高圧空気がスツール５内で渦流６を発生し、装置筐体４内部のガス，塵埃を碍子１内に巻き込んでしまう場合がある。
【０００６】
本発明はかかる事情に鑑みてなされたもので、装置筐体内のガス，塵埃の碍子内への侵入を確実に防止した電気集塵装置用碍子を提供することを目的としている。
【０００７】
【課題を解決するための手段】
本発明は前記目的を達成するために、本発明に係る請求項１の電気集塵装置用碍子では、碍子内部に下端に開口する中空部を形成するとともに、該中空部の天井壁に通気孔を形成し、該通気孔を介して碍子の中空部に高圧空気を導入し、該高圧空気を装置筐体内に噴出させることによって装置筐体内のガス，塵埃等の碍子の中空部への侵入を防いだ電気集塵装置用碍子において、前記中空部の前記通気孔の直下に、空気流を分散させる整流手段を設置している。
【０００８】
この構成によれば、碍子内に導入された高圧空気は、層流となって筐体内に案内される。
【０００９】
また、本発明では、前記整流手段の設置位置は、前記天井壁の通気孔から前記整流手段までの距離が碍子全体の長さの２０％以下にしている。
【００１０】
この発明によれば、空気流の流速があまり減速されない状態で整流手段に達するので、整流効果が大きい。
【００１１】
本発明に係る電気集塵装置用碍子では、前記整流手段は、多孔板または金網であることを特徴としている。
【００１２】
この発明によれば、構造が簡単で十分な効果が得られる。
【００１３】
【発明の実施の形態】
以下、添付図面に従って本発明に係る電気集塵装置用碍子の好ましい実施の形態について説明する。
【００１４】
電気集塵装置は、図１に示したように、装置筐体１０の相対向する位置に処理ガス入口１１および浄化ガス出口１２を有し、それらの間に放電極，集塵極等を備えた集塵装置主部１３が収容されている。そして、装置筐体１０の天井壁１０ａ上面には、碍子収納ケース１４が設置され、該ケース１４内に碍子１５が設置されている。この碍子１５の中心には芯線１６が挿通され、該芯線１６の下部は集塵装置主部１３の放電極１３ａに連結され、それによって放電極１３ａが装置筐体１０内に支持されている。
【００１５】
また、この電気集塵装置の碍子１５は、図２に示したように、円錐台形に形成され、その内部に、下方に開口する中空部１７が形成されている。そして、碍子１５の天井壁１５ａには複数個の通気孔１８が形成されている。また、この碍子１５の中空部１７には、碍子全体の長さの２０％以下の位置で、通気孔１８の直下に整流手段１９としての整流板１９ａが複数本のロッド２０によって支持されている。整流板１９ａは、図３に示したように、碍子１５の側壁１５ｂから適宜な間隔２１ａをもち、また芯線１６から適宜な間隔２１ｂをもって配置されている。
【００１６】
このように構成された碍子１５は、台座２２を介して装置筐体１０の天井壁１０ａの上面に載置固定される。また、装置筐体１０の天井壁１０ａに形成された孔２３には、碍子１５内の高圧空気を装置筐体１０内に案内するスツール２４が装着されている。
【００１７】
この電気集塵装置では、ブロア２５（図１参照）によって碍子収納ケース１４内に高圧空気が供給される。そして、図３に示したように、碍子収納ケース１４内に供給された高圧空気は、碍子１５の通気孔１８から碍子１５の中空部１７に導入され、整流板１９ａによって流れが整えられて層流となって装置筐体１０内に噴射される。
【００１８】
なお、上記実施の形態では、整流手段として整流板１９ａを使用しているが、整流板１９ａに替えて金網であってもよい。
【００１９】
また、整流手段としては、図４に示したように、芯線１６に対して回転自在に設置されたプロペラ１９ｂ等であってもよい。この場合のプロペラ１９ｂは、通気孔１８から流入した高圧空気によって回転され、それによってその高圧空気を整流する。
【００２０】
【発明の効果】
以上説明したように、本発明の請求項１の電気集塵装置用碍子によれば、碍子内に導入された高圧空気は、整流となって装置筐体内に案内されるので、碍子内に渦流が発生することなく、したがって、装置筐体内のガス，塵埃等が碍子内に巻き込まれる虞れもない。
【００２１】
また、本発明に係る請求項２の電気集塵装置用碍子によれば、整流手段が天井壁の近くに位置しているため、通気孔から導入された空気の流速が速い状態で整流されるので、整流効果が大きい。
【００２２】
本発明に係る請求項３の電気集塵装置用碍子によれば、構造が簡単で十分な整流効果が得られる。
【図面の簡単な説明】
【図１】本発明に係る碍子を備えた電気集塵装置を概念的に示した斜視図である。
【図２】本発明に係る電気集塵装置用碍子の一実施の形態を示した断面斜視図である。
【図３】図２に示した電気集塵装置用碍子の作用を示した概念的な断面図である。
【図４】本発明に係る電気集塵装置用碍子の他の実施の形態を概念的に示した断面図である。
【図５】従来の電気集塵装置用碍子を示した概念的な断面図である。
【符号の説明】
１０…装置筐体、１０ａ…天井壁、１１…処理ガス入口、１２…浄化ガス出口、１３…集塵装置主部、１３ａ…放電極、１４…碍子収納ケース、１５…碍子、１５ａ…天井壁、１５ｂ…側壁、１６…芯線、１７…中空部、１８…通気孔、１９…整流手段、１９ａ…整流板、１９ｂ…プロペラ、２０…ロッド、２１ａ，２１ｂ…間隔、２２…台座、２３…孔、２４…スツール、２５…ブロア
【図１】
0003991599.tif 000002
【図２】
0003991599.tif 000003
【図３】
0003991599.tif 000004
【図４】
0003991599.tif 000005
【図５】
0003991599.tif 000006